(57)【特許請求の範囲】
【請求項１】
内部と外部とを連通する通気部を有するケースと、
前記通気部を塞ぐ通気性を有する防水膜とを備え、
前記通気部を形成する前記ケースの壁部に、前記防水膜に沿って延び前記通気部を少なくとも二つに分割する支持部を設けたことを特徴とするケースの通気構造。
【請求項２】
前記支持部が前記通気部を横切る梁部からなることを特徴とする請求項１記載のケースの通気構造。
【請求項３】
前記梁部が細長形状に延びることを特徴とする請求項２記載のケースの通気構造。
【請求項４】
内部と外部とを連通する通気部を有するケースと、
前記通気部を塞ぐ通気性を有する防水膜とを備え、
前記通気部を形成する前記ケースの壁部に、前記防水膜に沿って前記通気部を部分的に塞ぐように突出し前記防水膜を支持する複数の支持部を設けたことを特徴とするケースの通気構造。
【請求項５】
前記突出部が細長形状に延びることを特徴とする請求項４記載のケースの通気構造。
【請求項６】
前記壁部がケースの内部または外部の少なくとも一方に突出する筒状壁からなり、この筒状壁内に前記支持部の非形成領域に対応する障壁部が形成され、この障壁部と前記支持部とで迷路状の迂回部を設けたことを特徴する請求項１から請求項５のうち何れか一つに記載のケースの通気構造。
【請求項７】
前記防水膜が前記迂回部よりも前記ケースの内側に位置することを特徴とする請求項６記載のケースの通気構造。
【請求項８】
前記防水膜が接着により前記ケースに装着され、前記支持部は前記防水膜の装着の際に前記防水膜の受部として機能することを特徴する請求項１から請求項７のうち何れか一つに記載のケースの通気構造。
【発明の詳細な説明】
【０００１】
【発明の属する技術分野】
本発明は、例えば自動車や二輪車、農建機、船舶、雪上バイク、水上バイクをはじめとする各種移動体の表示装置に適用されるケースの通気構造に関するもので、特にケースに設けた通気部を、通気性を有する防水膜で覆ってなるケースの通気構造に係わるものである。
【０００２】
【従来の技術】
例えば二輪車には、計器のごとき表示装置が搭載されており、車速やエンジン回転、残燃料等の各種計測情報を表示できるようになっている。このような表示装置は、計測情報を表示または指示する表示器をケース内に収納し、その前方を透明な透視カバーで覆ってなり、透視カバーを通じて表示器の表示内容を視認できるように構成されている。
【０００３】
そしてケースには、透視カバーの曇り等の発生を抑制するため、内部（内気）と外部（外気）とを連通する穴状もしくは筒状の通気部（通気孔）を設け、さらにこの通気部を通気性を有した防水膜で覆い、通気性を確保しつつ水や埃といった異物の侵入を防ぐようにしている（例えば特開平８−２１９８１７号公報参照）。
【０００４】
防水膜としては、空気を通して水や湿気を通さないシート状の防水素材が一般に使用され、通常は防水膜を通気部の通路径もしくは開口径よりも大きく形成してその外周縁に粘着層を設け、この粘着層を通じて防水膜を貼着することにより、防水膜が通気部を完全に塞ぐように装着される。ところが防水膜は前述のように通気性を有する防水素材が用いられるものの、通気部を完全に塞ぐ必要があることから、それにより通気性が損なわれることは否めない。このため、例えばケースに適宜箇所に複数の通気部を設け、これら複数の通気部の各々に防水膜を装着し、通気性と防水性との双方を確保するようにしている。
【０００５】
【発明が解決しようとする課題】
このように通気部を複数設ける場合、通気部の形成数に応じた防水膜を用意し、各通気部毎に装着しなければらないため、通気部の数は少ない方が好ましい。そのため、防水膜にて覆われる通気部箇所の通路径を広げて通気面積を大きくし、その形成数を抑えることが考えられる。しかしながら、通路径が大きくなる程、装着時に通気膜が変形しやすくなり、装着作業性が悪化する。例えば防水膜の外周縁をケースに接着（貼着）する場合であれば、防水膜の貼着に伴う押圧の際に、防水膜の中央部が通気部内に入り込むことで、防水膜の外周縁がケース側の貼付面から離間するため、貼り付けづらく作業性が悪い。
本発明はこの点に鑑みてなされたものであり、その主な目的は、通気部の構造を工夫することにより、防水膜の装着作業性を高めることが可能なケースの通気構造を提供するものである。
【０００６】
【課題を解決するための手段】
本発明は前記目的を達成するため、内部と外部とを連通する通気部を有するケースと、前記通気部を塞ぐ通気性を有する防水膜とを備え、前記通気部を形成する前記ケースの壁部に、前記防水膜に沿って延び前記通気部を少なくとも二つに分割する支持部を設けたことを特徴とする。
【０００７】
また本発明は、前記支持部が前記通気部を横切る梁部からなることを特徴とする。
【０００８】
また本発明は、前記梁部が細長形状に延びることを特徴とする。
【０００９】
また本発明は、前記目的を達成するため、内部と外部とを連通する通気部を有するケースと、前記通気部を塞ぐ通気性を有する防水膜とを備え、前記通気部を形成する前記ケースの壁部に、前記防水膜に沿って前記通気部を部分的に塞ぐように突出し前記防水膜を支持する複数の支持部を設けたことを特徴とする。
【００１０】
また本発明は、前記突出部が細長形状に延びることを特徴とする。
【００１１】
また本発明は、前記壁部がケースの内部または外部の少なくとも一方に突出する筒状壁からなり、この筒状壁内に前記支持部の非形成領域に対応する障壁部が形成され、この障壁部と前記支持部とで迷路状の迂回部を設けたことを特徴する。
【００１２】
また本発明は、前記防水膜が前記迂回部よりも前記ケースの内側に位置することを特徴とする。
【００１３】
また本発明は、前記防水膜が接着により前記ケースに装着され、前記支持部は前記防水膜の装着の際に前記防水膜の受部として機能することを特徴する。
【００１４】
【発明の実施の形態】
本発明によるケースの通気構造は、例えば二輪車などの移動体（車両）に搭載される計器のごとき表示装置に適用でき、この場合、表示装置は、少なくとも計測情報を表示する表示器と、この表示器を収納するケースとを有し、このケースに内部と外部とを連通する通気部を設け、この通気部を塞ぐように通気性を有する防水膜を設け、通気部を形成するケースの壁部に、防水膜に沿って延び通気部をその連通方向に沿って少なくとも二つに分割するように塞ぐ支持部を設けたものである。このように通気部に防水膜を支持する支持部を設けたことにより、防水膜の装着時に防水膜を支持部で支持することができ、これにより防止膜の変形を防止してその装着を容易とし、作業性を向上させることができる。また防水膜の装着作業性が高まることにより、通気部の内径を大きくして通気性を高めることができ、これにより通気部の数を削減して防水膜の枚数やそれ自体の装着作業を減らし、コストダウンを達成できる。
【００１５】
支持部は、通気部をその連通方向から見たとき、防水膜表面に沿って通気部を横切る梁部として形成することができる。またこの際、梁部を防水膜に沿って細長形状に延びる形状に設定すれば、梁部にて塞がれる通気部内面積を削減でき、その分、通気性の確保に有利となる。
【００１６】
本発明によるケースの通気構造の別例構成としては、防水膜に沿って通気部を部分的に塞ぐように突出する複数の支持部から形成してもよく、このように構成することにより、防水膜の装着時に支持部により防水膜を支持することができ、これにより防止膜の変形を防止してその装着を容易とし、作業性を向上させることができる。また防水膜の装着作業性が高まることにより、通気部の内径を大きくして通気性を高めることができ、これにより通気部の数を削減して防水膜の枚数やそれ自体の装着作業を減らし、コストダウンを達成できる。
【００１７】
このように支持部を、通気部を部分的に塞ぐように複数形成する場合、これら支持部は、通気部もしくは通気部内をその連通方向から見たとき、防水膜表面に沿って通気部内に突出するように形成することができる。この際、突出部を防水膜に沿って細長形状に設定すると、梁部にて塞がれる通路面積を削減でき、その分、通気性の確保に有利となる。
【００１８】
また通気部は、ケースの壁部に設けた孔にて形成することもできるし、あるいはケースの内部または外部の少なくとも一方に突出する筒状壁にて形成することもできる。筒状壁にて通気部を形成する場合、筒状壁内に支持部の非形成領域に対応する障壁部を設け、この障壁部と支持部とで通気部に迷路状の迂回部を設けると、迂回部により水や埃、工具等の異物の侵入を抑制でき、防水性を向上させることができる。またこの際、防水膜を迂回部よりもケースの内側に位置させると、ケースの外部から通気部に侵入した水を防水膜の手前でブロックすることができ、防水性を向上させることができる。
【００１９】
【実施例】
以下、本発明の実施例を添付図面に基き、本発明によるケースの通気構造が二輪車の計器のごとき表示装置に適用された場合を例として説明する。なお添付図面において、図１から図５は、本発明の第１の実施例を示すもので、図１は表示装置の断面図、図２は通気部を図１中、矢印Ａ方向から見た場合の平面図、図３は図２と同様、通気部を図１中、矢印Ａ方向から見た場合の平面図であって防水膜を除く平面図、図４は通気部を図１中、矢印Ｂ方向から見た場合の平面図、図５は図２中、Ｃ−Ｃ線に沿った断面図である。
【００２０】
図１において、表示装置は、例えばエンジン回転を表示する第１の表示器１と、車速や走行距離、残燃料他の各種走行情報を表示する第２の表示器２と、これら表示器１，２の前方側を覆う透視カバー３と、表示器１，２の背後側を覆うケース４と備えている。
【００２１】
第１の表示器１は、目盛板１１上に配された指針１２を計器ムーブメント１３で回転駆動する指針式表示器からなり、目盛板１１の背後には導光板１４が設けられている。
【００２２】
第２の表示器２は、前記の各種走行情報をデジタル表示する液晶パネル（図示しない）を備えた表示器からなり、第１の表示器１と共に回路基板５上に配置されている。
【００２３】
回路基板５には、第１，第２の表示器１，２の他、導光板１４を通じて指針１２及び目盛板１１を照明すると共に、前記液晶パネルを照明する光源６が配置されている。
【００２４】
透視カバー３は、主に各表示器１，２の表示面側を覆うよう背後に開口するもので、各表示器１，２の表示面を透視可能とする透視部３１とこの透視部３１の外周に延び第２のケース４に組み合わされるフレーム部３２とでなり、透視部３１が透明性を有する合成樹脂により、フレーム部３２が不透明性な合成樹脂により、一体成形されている。
【００２５】
ケース４は、主に各表示器１，２の背面側を覆うように前方に開口するもので、不透明な合成樹脂により形成され、各表示器１，２の周囲を取り巻く側壁部４１と、各表示器１，２の背面を覆う底壁部４２とを有し、この底壁部４２の所定箇所には、ケース４の内部（内気）と外部（外気）とを連通する複数の通気部４３が形成され、これら通気部４３は、通気性を有する防水膜７に覆われている。
【００２６】
通気部４３は、図２から図５に詳しく示すように、底壁部４２に開けられた円形の孔部４３１の内壁部（壁部）と、孔部４３１の外縁を取り巻くように底壁部４２の外壁面から外方に突出する筒状部４３２の内壁部（壁部）とによって、ケース４の内外をつなぐ通路状に形成されている。
【００２７】
底壁部４２の防水膜７に対応する箇所には、通気部４３を、その連通方向（図１中、矢印Ａまたは矢印Ｂ方向）に沿って三つに分割するように塞ぐ略「Ｙ」字形の支持部４３３が形成され（特に図３参照）、この支持部４３３は、孔部４３１の内壁部から防水膜７の膜面に沿って、通気部４３を放射状に横切るように延び、その前面部にて防水膜７を背後から支持する細長い放射形状の梁部として形成されている。
【００２８】
また筒状部４３２の内壁部には、支持部４３３とは離れた位置で通気部４３を部分的に塞ぐ障壁部４３４が複数形成され、これら障壁部４３４は、通気部４３の連通方向において支持部４３３とラップしないように支持部４３３の非形成領域に対応して形成され、この障壁部４３４と支持部４３３とで通気部４３に迷路状の迂回部４４を設けている。
【００２９】
防水膜７は、空気を通して水や湿気を通さないシート状の防水素材（例えば商品名「ミクロテックス」）からなり、図２に示すように、孔部４３１の内径よりも大きい外径を有し、孔部４３１（通気部４３の内端側）を完全に塞ぐように、底壁部４２の内壁面（孔部４３１の外周縁）に装着固定されている。
【００３０】
防水膜７は、そのケース４側となる膜面の外周縁に粘着層７１が予め被着されており、この粘着層７１を孔部４３１の外周縁となる底壁部４２の内壁面に接着することによりケース４に防水膜７が装着（貼着）される。
【００３１】
防水膜７の貼着作業は、粘着層７１が底壁部４２の内壁面に確実に接着するように、人手（手作業）により防水膜７を図１中、矢印Ａ方向に押圧することにより行われるが、この際、支持部４３３は、背後から防水膜７を受けてその変形を防止する梁部として機能する。なおこの際、支持部４３３の前面側は、孔部４３１（通気部４３）の外周縁に対して、段差が生じないように、防水膜７の膜面に沿った同一平面に形成するのが望ましく、このように構成することで、防水膜７を確実に支持することができる。
【００３２】
以上のように本実施例では、この表示器１，２を収納するケース４に、内部と外部とを連通する通気部４３を設け、この通気部４３を塞ぐように通気性を有する防水膜７を設け、通気部４３を形成するケース４の内壁部（壁部）に、通気部４３をその連通方向に沿って分割するように塞ぐと共に防水膜７に沿って延びる支持部４３３を設けたことにより、防水膜７の装着時に防水膜７を支持部４３３で支持することができ、これにより防止膜７の変形を防止してその装着を容易とし、作業性を向上させることができる。また防水膜７の装着作業性が改善されることにより、通気部４３の内径を大きくして通気性を高めことができ、これにより通気部４３の数を削減でき、その分、防水膜７の枚数やそれ自体の装着作業を減らし、コストダウンを達成できる。
【００３３】
また本実施例では、支持部（梁部）４３３を細長形状に設けたことにより、支持部４３３により塞がれる通気部４３内面積を削減でき、その分、通気性の確保に有利となる。
【００３４】
なお本実施例では、放射状に延びる三つの支持部４３３にて通気路４３を三つに分割する場合を示したが、通気路４３を複数に分割するものであれば、支持部４３３の個数や形状は任意であり、例えば格子状やハニカム状に形成することもできる。また通気部４３を形成する壁部についても、本実施例のように略円筒状に限らず、任意の構造を採用することができる。また本実施例では、通気部４３のケース４内側端部を防水膜７で覆う例を示したが、防水膜７は、通気路４３を塞ぐことができれば任意の位置に設けることができる。
【００３５】
また本実施例では、筒状壁４３２内に支持部４３３の非形成領域に対応する障壁部４３４を設け、この障壁部４３４と支持部４３３とで通気部４３に迷路状の迂回部４４を設けたことにより、迂回部４４により水や埃、工具等の異物の侵入を抑制でき、防水性を向上させることができる。また本実施例では、特に防水膜７を迂回部４４よりもケース４の内側に位置させたことにより、ケース４の外部から通気部４３に侵入した水を防水膜７の手前でブロックすることができ、防水性を向上させることができる。
【００３６】
図６は本発明の第２の実施例として、支持部４３３の変形例を示す要部正面図であり、本実施例では、支持部４３３を孔部４３１と同軸の円形（円筒形）に形成したものであり、この場合、支持部４３３は、図示しない連結部を介して孔部４３１または筒状壁４３２に部分的に接続されている。かかる本実施例によっても前記第１の実施例と同様な効果を期待できる。
【００３７】
図７は本発明の第３の実施例を示す要部正面図であり、本実施例では、通気部４３を形成するケース４の孔部４３１の内壁部（壁部）から通気部４３を部分的に塞ぐように防水膜７（ここでは図示しない）に沿って細長く突出する複数の支持部４３３から形成したものであり、各支持部４３３は、通気部４３の途中まで延びている。なお本実施例では細長形状の支持部４３３を４つ形成したが、その形成個数や形状は、通気部４３を部分的に塞ぎ、防水膜７を支持するものであれば任意である。
【００３８】
このように構成される実施例によっても、支持部４３３で防水膜７を支持することができ、前記各実施例と同様な効果を期待できる。
【００３９】
【発明の効果】
以上詳述したように、本発明は、内部と外部とを連通する通気部を有するケースと、前記通気部を塞ぐ通気性を有する防水膜とを備え、前記通気部を形成する前記ケースの壁部に、前記通気部を形成する前記ケースの壁部に、前記防水膜に沿って延び前記通気部を少なくとも二つに分割する支持部を設けたことにより、防水膜の装着作業性を高めることが可能なケースの通気構造を提供することができる。
【００４０】
また本発明は、内部と外部とを連通する通気部を有するケースと、前記通気部を塞ぐ通気性を有する防水膜とを備え、前記通気部を形成する前記ケースの壁部に、前記防水膜に沿って前記通気部を部分的に塞ぐように突出し前記防水膜を支持する複数の支持部を設けたことことにより、防水膜の装着作業性を高めることが可能なケースの通気構造を提供することができる。
【図面の簡単な説明】
【図１】本発明の第１の実施例による表示装置の断面図。
【図２】通気部を図１中、矢印Ａ方向から見た場合の平面図。
【図３】通気部を図１中、矢印Ａ方向から見た場合の平面図であって防水膜を除く平面図。
【図４】通気部を図１中、矢印Ｂ方向から見た場合の平面図。
【図５】図５は図２中、Ｃ−Ｃ線に沿った断面図。
【図６】本発明の第２の実施例を示す要部平面図。
【図７】本発明の第３の実施例を示す要部平面図。
【符号の説明】
１  第１の表示器
２  第２の表示器
３  透視カバー
４  ケース
５  回路基板
６  光源
７  防水膜
１１  目盛板
１２  指針
１３  計器ムーブメント
１４  導光板
４１  側壁部
４２  底壁部
４３  通気部
４４  迂回部
４３１  孔部
４３２  筒状壁
４３３  支持部
４３４  障壁部
【図１】
0003550683.tif 000002
【図２】
0003550683.tif 000003
【図３】
0003550683.tif 000004
【図４】
0003550683.tif 000005
【図５】
0003550683.tif 000006
【図６】
0003550683.tif 000007
【図７】
0003550683.tif 000008